(57)【特許請求の範囲】
【請求項１】
ネジ孔が備えられて冷蔵庫本体に装着されるヒンジ体と、
その回転によって高さ調節可能に前記ヒンジ体のネジ孔に締結されて冷蔵庫ドアを支持するヒンジ軸と、
前記ヒンジ軸を選択的に固定又は解除させる回転防止手段と、
を含み、
前記ヒンジ軸は、
ネジ山が形成されて前記ヒンジ体のネジ孔に締結される高さ調節部と、
前記高さ調節部の直径より大きい外径を有し、前記ヒンジ軸の外周面から放射状に延長される段差部と、
前記段差部の上面から前記段差部の直径より小さい直径で延長されて、ドアのヒンジホールに挿入される支持軸部と、
前記段差部に形成され、前記回転防止手段が選択的に受容されて前記ヒンジ軸の回転を抑制する多数の固定部と、
を含む、
ことを特徴とする冷蔵庫のドアヒンジ装置。
【請求項２】
前記回転防止手段が、前記ヒンジ軸を固定するか、又は前記ヒンジ軸の固定を解除するように前記ヒンジ体に装着される、ことを特徴とする請求項１に記載の冷蔵庫のドアヒンジ装置。
【請求項３】
前記段差部が、六角形の断面形状を有するように形成される、ことを特徴とする請求項１に記載の冷蔵庫のドアヒンジ装置。
【請求項４】
前記段差部の断面は多角形をなす、ことを特徴とする請求項１に記載の冷蔵庫のドアヒンジ装置。
【請求項５】
前記回転防止手段が、
前記ヒンジ体の一側に形成されたガイドホールと、
前記ガイドホールに上下移動自在に挿入されるストッパと、
前記ストッパが前記ヒンジ軸の一部分を係止するように前記ガイドホールに挿入され、前記ストッパを弾性支持するバネと、
を含む、
ことを特徴とする請求項１に記載の冷蔵庫のドアヒンジ装置。
【請求項６】
前記ストッパの一側には、前記ストッパを、前記バネを圧縮する方向に押圧するための別途の部材を受容できる押圧部が備えられる、ことを特徴とする請求項５に記載の冷蔵庫のドアヒンジ装置。
【請求項７】
前記押圧部が、所定の深さを有する溝状に形成される、ことを特徴とする請求項６に記載の冷蔵庫のドアヒンジ装置。
【請求項８】
前記ヒンジ体に、前記バネを支持する支持部材が備えられる、ことを特徴とする請求項５に記載の冷蔵庫のドアヒンジ装置。
【請求項９】
前記ストッパは、
前記固定部に選択的に受容される係止部と、
前記係止部の外周面の一側から横方向に延長される段差部と、
を含む、
ことを特徴とする請求項５に記載の冷蔵庫のドアヒンジ装置。
【請求項１０】
前記ガイドホールは、
前記段差部を受容できる形状及び深さを有するように陥没される第１ホールと、
前記第１ホールと連通するように形成され、前記係止部を受容できる形状及び深さを有するように陥没される第２ホールと、
を含む、
ことを特徴とする請求項９に記載の冷蔵庫のドアヒンジ装置。
【請求項１１】
前記第１ホールの深さが、前記第２ホールの深さより深く形成される、ことを特徴とする請求項１０に記載の冷蔵庫のドアヒンジ装置。
【請求項１２】
前記ストッパは、
円筒状の第１丸棒部と、
前記第１丸棒部の外周面の一側から半径方向に延長される第２丸棒部と、
を含む、
ことを特徴とする請求項５に記載の冷蔵庫のドアヒンジ装置。
【請求項１３】
前記ガイドホールは、
前記第１丸棒部を受容できる形状及び深さを有するように形成される第１円筒ホールと、
前記第１円筒ホールと連通するように形成され、前記第２丸棒部を受容できる形状及び深さを有するように形成される第２円筒ホールと、
を含む、
ことを特徴とする請求項１２に記載の冷蔵庫のドアヒンジ装置。
【発明の詳細な説明】
【技術分野】
【０００１】
本発明は、冷蔵庫に関し、より詳しくは、冷蔵庫ドアの設置時にその冷蔵庫ドアの位置を補正できるだけでなく、作動中に冷蔵庫ドアの組立状態を堅固に維持させて冷蔵庫ドアの位置変形が発生することを防止できる冷蔵庫のドアヒンジ装置に関する。
【背景技術】
【０００２】
一般に、冷蔵庫は、肉類、魚類、野菜、果物、飲料などの飲食物を新鮮な状態で保管する。このような冷蔵庫は、冷凍室、冷蔵室、野菜室などが備えられた冷蔵庫本体と、前記冷蔵庫本体の一側に装着されて冷凍室と冷蔵室を開閉するドアとを含む。
【０００３】
前記冷蔵庫本体は、圧縮機、凝縮器、毛細管、蒸発器などで構成される冷凍サイクルシステムと、前記蒸発器により形成される冷気を強制流動させる送風ファンと、前記蒸発器により形成される冷気が前記冷凍室、冷蔵室などを経た後に再び前記蒸発器側に流入するように案内する循環流路とを含む。
【０００４】
前記冷蔵庫においては、冷凍室や冷蔵室の温度が設定された温度以上になると、前記冷凍サイクル装置が動作し、前記冷凍サイクル装置の動作により前記蒸発器で冷気を形成する。前記蒸発器により形成される冷気は、前記送風ファンの動作により前記冷凍室、冷蔵室などを循環流動し、これにより、これらの冷凍室、冷蔵室などが設定された温度に維持される。
【０００５】
このような冷蔵庫は、冷気を循環させる方式、冷凍室と冷蔵室との位置、及び蒸発器の構成によって多様なタイプに分類される。
例えば、冷凍室が冷蔵室より上側に位置したタイプの冷蔵庫、冷凍室と冷蔵室とが両側に並んで位置したタイプの冷蔵庫、及び冷凍室が冷蔵室より下側に位置したタイプの冷蔵庫などがある。
【０００６】
前記冷蔵庫は、前記冷凍室と冷蔵室に保管された飲食物を新鮮な状態でより長く保管するために、前記冷凍室と冷蔵室を設定された温度に持続的に維持しなければならず、このために、前記冷凍室と冷蔵室の冷気が外部に漏れることを遮断しなければならない。
【０００７】
前記冷蔵庫の冷凍室と冷蔵室の冷気が漏れる最も主な要因の１つは、冷蔵庫本体と前記冷蔵庫本体に装着された冷蔵庫ドア間の隙間である。一般に、前記冷蔵庫ドアは、前記冷蔵庫本体の一側にヒンジ装置により装着され、これらの冷蔵庫ドアとヒンジ装置との結合構造によって、前記冷凍室と冷蔵室の冷気が外部に漏れる量がが決定される。
【０００８】
もし、冷凍室と冷蔵室からの冷気の漏れが多い場合、これらの冷凍室及び冷蔵室に保管された飲食物を新鮮な状態で維持できないだけでなく、これらの冷凍室及び冷蔵室の温度を設定温度に維持するためにさらに長い運転時間が所要するので、消費電力が増加する。従って、冷蔵室本体と冷蔵庫ドア間の隙間が最小化されるように冷蔵庫ドアを冷蔵庫本体に結合することは、重要な技術的課題である。
【０００９】
図６は、一般の冷蔵庫を示す斜視図で、図７は、冷蔵庫本体とドアとの間に結合される従来のドアヒンジ装置を示す斜視図である。
図示するように、内部に冷蔵室Ｒが備えられた冷蔵庫本体１００の上側と下側にヒンジ装置３００がそれぞれ装着され、ヒンジ装置３００にドア２００の上側と下側がそれぞれ結合される。
【００１０】
ヒンジ装置３００は、図７に示すように、所定の形状に折曲形成されて複数の貫通孔３１１が備えられたヒンジ体３１０と、ヒンジ体３１０に固定結合されるヒンジ軸３２０とを含む。
【００１１】
ヒンジ体３１０は、垂直に折曲された形状を有する。また、ヒンジ軸３２０は、ヒンジ体３１０の一側に形成されたコーキングホール(図示せず)に嵌合された状態でヒンジ軸３２０の一端がコーキングされることによって、ヒンジ体３１０に固定結合される。ヒンジ軸３２０は、ヒンジ体２２０の一面に対し垂直方向に位置する。
【００１２】
冷蔵庫本体１００の上側に装着されるヒンジ装置３００は、ヒンジ軸３２０が下方に向かうように、ヒンジ体３１０が冷蔵庫本体１００に固定結合され、ヒンジ体３１０は、複数のネジ(図示せず)により固定結合される。
【００１３】
冷蔵庫本体１００の下側に装着されるヒンジ装置３００は、ヒンジ軸３２０が上方に向かうように、ヒンジ体３１０が冷蔵庫本体１００に固定結合され、ヒンジ体３１０は、複数のネジ(図示せず)により固定結合される。
【００１４】
ドア２００の上面と下面に、ヒンジ軸３２０が挿入されるヒンジホール２０１がそれぞれ形成され、これらの上側ヒンジホール２０１と下側ヒンジホール２０１とは同一線上に位置する。
【００１５】
ドア２００の上側ヒンジホール２０１に、上側ヒンジ装置３００のヒンジ軸３２０が挿入され、ドア２００の下側ヒンジホール２０１に、下側ヒンジ装置３００のヒンジ軸３２０が挿入される。ドア２００は、上側ヒンジ装置３００と下側ヒンジ装置３００のヒンジ軸３２０、３２０とを軸として冷蔵室Ｒを開閉する。
図１に図示する符号４００は引出しを示す。
【発明の開示】
【発明が解決しようとする課題】
【００１６】
しかしながら、このような従来のヒンジ装置においては、ヒンジ軸３２０がコーキングによりヒンジ体３１０に固定結合されるため、ヒンジ装置３００の設計又は組立に誤差が発生してドア２００が冷蔵庫本体１００と上下方向にずれて位置する場合、ドア２００の位置補正が難しくなり、これにより、冷蔵室Ｒの冷気が漏れるいう問題点があった。
【００１７】
一方、このような問題点を解決するために、ヒンジ装置３００のヒンジ軸３２０の一側にネジ山を形成し、ヒンジ体３１０にネジ孔をそれぞれ形成して、ヒンジ軸３２０のネジ山をヒンジ体３１０のネジ孔に締結し、ヒンジ軸３２０を回転させることにより、ヒンジ軸３２０の高さを調節可能にした。
【００１８】
しかしながら、このようなヒンジ装置は、冷蔵庫ドア２００を持続的に開閉する場合、冷蔵庫ドア２００の回転動作により、ヒンジ体３１０のヒンジ軸３２０とドア２００との間に相対的な回転力が作用して、ヒンジ軸３２０が上下に動くようになる。これにより、ドア２００の動作が円滑にならないだけでなく、冷蔵室本体１００とドア２００との間に隙間が発生して冷気が漏れるという問題点があった。
【００１９】
本発明は、このような従来技術の問題点を解決するためになされたもので、冷蔵庫ドアの設置時にその冷蔵庫ドアの位置を補正できるだけでなく、作動中に冷蔵庫ドア設置時の組立状態を堅固に維持させて冷蔵庫ドアの位置変形が発生することを防止できる冷蔵庫のドアヒンジ装置を提供することを目的とする。
【課題を解決するための手段】
【００２０】
本発明は、このような目的を達成するために、
ネジ孔が備えられて冷蔵庫本体に装着されるヒンジ体と、
その回転によって高さ調節可能に前記ヒンジ体のネジ孔に締結されて冷蔵庫ドアを支持するヒンジ軸と、
前記ヒンジ軸を選択的に固定又は解除させる回転防止手段と、
を含み、
前記ヒンジ軸は、
ネジ山が形成されて前記ヒンジ体のネジ孔に締結される高さ調節部と、
前記高さ調節部の直径より大きい外径を有し、前記ヒンジ軸の外周面から放射状に延長される段差部と、
前記段差部の上面から前記段差部の直径より小さい直径で延長されて、ドアのヒンジホールに挿入される支持軸部と、
前記段差部に形成され、前記回転防止手段が選択的に受容されて前記ヒンジ軸の回転を抑制する多数の固定部と、
を含む、
ことを特徴とする冷蔵庫のドアヒンジ装置を提供する。
【発明の効果】
【００２１】
本発明による冷蔵庫のドアヒンジ装置は、ドア２００を冷蔵庫本体１００に結合する際、そのドア２００が設定されるべき位置に正確に位置するように調節が可能であるだけでなく、ドア２００の使用時に発生する回転力によりヒンジ軸５２０が回転することを防止することにより、ドア２００を組み立てる際、又は使用する際にドア２００が常に冷凍室又は冷蔵室を十分正確にカバーする位置に位置する。
【００２２】
これにより、冷蔵庫の冷凍室又は冷蔵室の冷気がドア２００と冷蔵庫本体１００との間を通じて外部に漏れることを防止することにより、冷凍室及び冷蔵室に保管される飲食物をより新鮮に保管できるだけでなく、冷蔵庫の運転時間を短縮して消費電力を減少できるという効果がある。
【発明を実施するための最良の形態】
【００２３】
以下、本発明による冷蔵庫のドアヒンジ装置の好ましい実施形態を添付の図面を参照して説明する。
図１は、本発明による冷蔵庫のドアヒンジ装置が備えられた冷蔵庫の一部分を示す正面図で、図２は、本発明による冷蔵庫のドアヒンジ装置を示す分解斜視図で、図３は、本発明による冷蔵庫のドアヒンジ装置を示す正断面図で、図４は、本発明による冷蔵庫のドアヒンジ装置を示す平面図である。従来と同じ部分に対しては同一符号を付した。
【００２４】
図示するように、本発明による冷蔵庫のドアヒンジ装置５００は、冷蔵庫本体１００の一側に装着されてドア２００を固定支持する。
【００２５】
本発明による冷蔵庫のドアヒンジ装置５００は、ネジ孔５１１が備えられて冷蔵庫本体１００に装着されるヒンジ体５１０と、その回転によって高さ調節可能にヒンジ体５１０のネジ孔５１１に締結されてドア２００を支持するヒンジ軸５２０と、ヒンジ軸５２０を選択的に固定又は解除させる選択的回転防止手段とを含む。
【００２６】
ヒンジ体５１０は、所定の形状に折曲形成された体部５１２と、体部５１２の一側に形成されたネジ孔５１１と、ネジ孔５１１の側方に位置するように形成されるガイドホール５１３と、体部５１２に形成される複数の貫通孔５１４とを含む。
ネジ孔５１１は、貫通した孔の内周面にネジ山が形成されてなる。
【００２７】
ガイドホール５１３は、図３に示すように、ヒンジ体５１０の体部５１２を貫通形成する。ガイドホール５１３は、四角形の断面形状と所定の深さを有するように形成される第１ホール５１３Ａと、第１ホール５１３Ａに連通し、第１ホール５１３Ａの断面積より小さい四角形の断面形状と所定の深さを有するように形成される第２ホール５１３Ｂとを含む。ここで、第１ホール５１３Ａの深さは、第２ホール５１３Ｂの深さより深く形成され、第２ホール５１３Ｂは、第１ホール５１３Ａより上側(図面上)に位置する。
【００２８】
ヒンジ軸５２０は、ネジ山が形成されてヒンジ体５１０のネジ孔５１１に締結される高さ調節部５２１と、高さ調節部５２１の断面より大きい断面と所定の長さを有するように高さ調節部５２１に延長形成される段差部５２２と、所定の外径と所定の長さを有するように段差部５２２から延長形成される支持軸部５２３と、段差部５２２に形成される固定部５２４とを含む。
【００２９】
ヒンジ軸５２０の段差部５２２は、六角形の断面形状を有するように形成されることが好ましい。
ヒンジ軸５２０の支持軸部５２３は、所定の長さを有する丸棒状に形成され、その端部は、六角形の断面形状を有するように形成される。六角形の断面形状を有する支持軸部５２３の端部は、ヒンジ軸５２０をヒンジ体５１０に締結するとき、ヒンジ軸５２０を回転させるために使用される別途の工具、即ち、スパナなどを嵌めるために形成される。
【００３０】
ヒンジ軸５２０の固定部５２４は、段差部５２２の下面に形成された複数の溝からなる。固定部５２４を構成する複数の溝は、６つであることが好ましく、これらの溝は、四角形の断面形状と所定の深さを有するように同一形状に形成される。また、固定部５２４を構成する複数の溝は、その一側が段差部５２２の外側に開口するように形成されることが好ましい。
【００３１】
前記選択的回転防止手段は、ヒンジ体５１０に形成されたガイドホール５１３と、ガイドホール５１３に上下移動自在に挿入されるストッパ５３０と、ストッパ５３０がヒンジ軸５２０の一部分を係止するようにガイドホール５１３に挿入されてストッパ５３０を弾性支持するバネ５４０とを含む。
【００３２】
前記選択的回転防止手段は、ヒンジ軸５２０を固定するか、又はその固定を解除するようにヒンジ体５１０に装着される。
ヒンジ体５１０には、バネ５４０を支持する支持部材５５０が備えられることが好ましい。支持部材５５０は、複数のネジ(図示せず)により締結される。
【００３３】
図２に示すストッパ５３０は、四角形の断面形状と所定の長さを有する係止部５３１と、係止部５３１の断面積より大きい断面積と所定の長さを有するように係止部５３１の一側に延長形成される段差部５３２とを含む。
ストッパ５３０の係止部５３１の断面形状と断面積は、ガイドホール５１３の第２ホール５１３Ｂの断面形状と断面積に相応するように形成され、ストッパ５３０の段差部５３２の断面形状と断面積は、ガイドホール５１３の第１ホール５１３Ａの断面形状と断面積に相応するように形成される。
【００３４】
ストッパ５３０の一側には、そのストッパ５３０を別途の部材で押圧できる押圧部５３３が備えられることが好ましい。押圧部５３３は、ストッパ５３０の係止部５３１の一側面に、所定の深さを有する溝状に形成されることが好ましい。
【００３５】
一方、前記選択的回転防止手段の変形例として、図５に示すように、ストッパ５３０を段差のある丸棒状に形成し、ストッパ５３０が挿入されるガイドホール５１３を、ストッパ５３０の形状に相応する円形の断面形状を有するように形成することができる。
【００３６】
即ち、ストッパ５３０は、直径が互いに異なる第１丸棒部５３４と第２丸棒部５３５とからなり、これらの第１丸棒部５３４と第２丸棒部５３５とは段差を有するように形成される。前記直径の小さい第１丸棒部５３４に押圧部５３３が形成される。ガイドホール５１３は、ストッパ５３０の第１、２丸棒部５３４、５３５に相応するように、互いに異なる内径を有する第１円筒ホール５１３Ｃと第２円筒ホール５１３Ｄとからなり、これらの第１円筒ホール５１３Ｃと第２円筒ホール５１３Ｄとは段差を有するように形成される。また、第１円筒ホール５１３Ｃの内径が第２円筒ホール５１３Ｄの内径より小さい。
【００３７】
図１に図示する符号２１０は、ドアに結合される座金（ウォッシャー）であり、符号４００は引出しである。
以下、本発明による冷蔵庫のドアヒンジ装置の作用効果を説明する。
まず、本発明による冷蔵庫のドアヒンジ装置を構成する部品が組み立てられる過程は次の通りである。
【００３８】
ヒンジ体５１０のガイドホール５１３に、ストッパ５３０及びそのストッパ５３０を弾性支持するバネ５４０を順次挿入する。また、バネ５４０を支持するように、支持部材５５０をネジ(図示せず)によりヒンジ体５１０の下面に締結する。ストッパ５３０は、バネ５４０の支持によりヒンジ体５１０の上面から突出する。
【００３９】
また、ヒンジ軸５２０の高さ調節部５２１をヒンジ体５１０のネジ孔５１１に締結する。ヒンジ軸５２０の回転によって高さ調節部５２１が上下に動き、これにより、ヒンジ体５１０の上面から突出するヒンジ軸５２０の高さが調節される。ヒンジ軸５２０の高さを調節するためにヒンジ軸５２０を回転させるとき、ストッパ５３０の押圧部５３３に別途のピンのような部材を挿入して、ストッパ５３０を下方に押圧した状態でヒンジ軸５２０を回転させる。ヒンジ体５１０の上面から突出するヒンジ軸５２０の高さが決定されると、ストッパ５３０の押圧を解除して、ストッパ５３０の係止部５３１がヒンジ軸５２０の固定部５２４に挿入されるようにし、これにより、ストッパ５３０がバネ５４０により弾性支持される。ストッパ５３０の係止部５３１の一部がヒンジ軸５２０の固定部５２４に挿入されることによって、ヒンジ軸５２０の回転が防止される。
【００４０】
ヒンジ体５１０の上面から突出するヒンジ軸５２０の高さを調節するためにヒンジ軸５２０を回転させる場合、ストッパ５３０を押圧してそのストッパ５３０の係止部５３１をヒンジ軸５２０の固定部５２４から離脱させた後、ヒンジ軸５２０を回転させる。
【００４１】
一方、ヒンジ体５１０は、複数の締結ネジ(図示せず)により冷蔵庫本体１００に装着し、これらの締結ネジは、ヒンジ体５１０の貫通孔５１４にそれぞれ貫通挿入する。
また、ヒンジ体５１０に締結されたヒンジ軸５２０は、ドア２００のヒンジホール２０１に挿入される。
【００４２】
ドア２００が冷蔵庫の冷凍室や冷蔵室を十分に覆蓋するように設定された位置に位置しない場合、ヒンジ軸５２０を回転させることによりドア２００の位置を調節する。前述したように、前記選択的回転防止手段を利用してヒンジ軸５２０を固定又は解除することにより、ヒンジ軸５２０の回転を防止又は許容する。
【００４３】
使用者によりドア２００が回転されて冷蔵室又は冷凍室が開放されると、ドア２００とヒンジ軸５２０間に相対的な回転力が作用する。しかしながら、前記選択的回転防止手段によりヒンジ軸５２０の回転が防止されるので、その相対的な回転力がヒンジ軸５２０に作用してもヒンジ軸５２０が回転しなくなる。
【図面の簡単な説明】
【００４４】
【図１】本発明による冷蔵庫のドアヒンジ装置が備えられた冷蔵庫の一部分を示す正面図である。
【図２】本発明による冷蔵庫のドアヒンジ装置を示す分解斜視図である。
【図３】本発明による冷蔵庫のドアヒンジ装置を示す正断面図である。
【図４】本発明による冷蔵庫のドアヒンジ装置を示す平面図である。
【図５】本発明による冷蔵庫のドアヒンジ装置を構成する選択的回転防止手段の変形例を示す斜視図である。
【図６】一般の冷蔵庫を示す斜視図である。
【図７】従来の冷蔵庫のドアヒンジ装置を示す斜視図である。
【符号の説明】
【００４５】
１００    冷蔵庫本体
２００    ドア
２０１    ヒンジホール
５１０    ヒンジ体
５１１    ネジ孔
５１３    ガイドホール
５１３Ａ    第１ホール
５１３Ｂ    第２ホール
５１３Ｃ    第１円筒ホール
５１３Ｄ    第２円筒ホール
５２０    ヒンジ軸
５２１    高さ調節部
５２２    ヒンジ軸の段差部
５２３    支持軸部
５２４    固定部
５３０    ストッパ
５３１    係止部
５３２    ストッパの段差部
５３３    押圧部
５４０    バネ
５５０    支持部材
【図１】
0004699805.tif 000002
【図２】
0004699805.tif 000003
【図３】
0004699805.tif 000004
【図４】
0004699805.tif 000005
【図５】
0004699805.tif 000006
【図６】
0004699805.tif 000007
【図７】
0004699805.tif 000008